(57)【要約】【課題】取出口にフィルムを設けなくとも、家庭用薄葉紙の保持性および取出性のよい家庭用薄葉紙収納箱を提供することである。【解決手段】収納箱の取出口の縁に、その取出口の中心側に位置する一対の第１縁部と、第１縁部の両端側から取出口の長手方向および短手方向の外側に向かって延在する第２縁部を設けるとともに、その第１縁部の間隔を３ｍｍ以上１７ｍｍ以下とし、第１縁部に向かって第２縁部がなす角度を１６５度以上１７５度以下とすることによって、家庭用薄葉紙の取出性および保持性の双方を満足させることを可能にした。【選択図】図１
2008162623.tif 000002
【特許請求の範囲】
【請求項１】
交互に折り畳まれて積層された家庭用薄葉紙が内部に収納され、上面の蓋部が破断用切目線に沿って切り取り可能に構成され、該蓋部を切り取って形成される取出口を通して内部の家庭用薄葉紙を取り出すことができるように構成された略直方体状で上面長方形の家庭用薄葉紙収納箱において、
前記取出口は、前記家庭用薄葉紙収納箱の上面中央に位置し、前記取出口の全長は、前記家庭用薄葉紙収納箱の長手方向で大きく、かつ、その短手方向で小さくなるように設定され、
前記取出口の縁は、前記取出口の前記長手方向および前記短手方向の中心側に位置してその取出口内方に向けて突出する山形突起からなる角部を有し、前記家庭用薄葉紙収納箱の上面の長手方向中心線を挟んで対向する一対の第１縁部と、前記第１縁部の両端側から前記取出口の前記長手方向および前記短手方向の外側に向かって延在する第２縁部と、前記第２縁部の外端側同士を繋ぐように曲線状の縁によって構成される第３縁部とが連結して、全周に亘って連続するループ状をなし、
前記一対の第１縁部が前記長手方向中心線を挟んで対向する隙間間隔であって前記短手方向の間隔が３ｍｍ以上１７ｍｍ以下とされ、前記第１縁部を挟んだ前記第２縁部がその第１縁部側に向かってなす角度が１６５度以上１７５度以下とされていることを特徴とする家庭用薄葉紙収納箱。
【請求項２】
前記第１縁部は、複数の山形突起によって構成される波形形状とされていることを特徴とする請求項１に記載の家庭用薄葉紙収納箱。
【請求項３】
前記第２縁部は、前記取出口内方に向かった凸状或いは凹状の曲線状の縁によって構成されていることを特徴とする請求項１又は２に記載の家庭用薄葉紙収納箱。
【請求項４】
前記第３縁部には、前記取出口の前記長手方向の両端側から前記取出口の中心側に向かって張り出して対向する両側羽部が設けられていることを特徴とする請求項１〜３の何れか一項に記載の家庭用薄葉紙収納箱。
【請求項５】
前記取出口の縁に設けられる羽部の起立を容易にするための折目用線が設けられていることを特徴とする請求項１〜４の何れか一項に記載の家庭用薄葉紙収納箱。
【発明の詳細な説明】
【技術分野】
【０００１】
本発明は、ティシューペーパー、キッチンペーパー、ペーパータオル等の家庭用薄葉紙を収納する家庭用薄葉紙収納箱に関する。
【背景技術】
【０００２】
家庭用薄葉紙の１つであるティシューペーパーを収納するティシューペーパー収納箱（以下、収納箱という。）の市販品は紙から構成されている。この収納箱の上面にはティシューペーパーを取り出すための取出口が設けられているのが一般的である。この取出口は、収納箱がユーザの手元に渡るまでは、蓋部によって覆われている。そして、ユーザがその蓋部を破断用切目線に沿って切り取ることによって取出口が形成される。
【０００３】
ところで、このような収納箱におけるティシューペーパーの取出構造として、大別して、２種の構造が知られている。１つは、取出口の縁に下側からポリエチレン等の透明な樹脂フィルムが予め貼られ、この樹脂フィルムの中央に形成されたスリットからティシューペーパーを取り出す構造である。他の１つは、上記樹脂フィルムがなく蓋部を破断用切目線で切り取って形成された取出口からティシューペーパーを取り出す構造、いわゆるフィルムレス構造である（例えば、特許文献１）。
このうち、前者の取出構造によれば、取出口の縁に樹脂フィルムを予め貼るので、手間とコストが嵩むことに加え、ティシューペーパーを使い切った後に、ゴミの分別処理のためにユーザが樹脂フィルムと箱本体（紙）とを分別しなければならないという問題がある。一方、後者の取出構造によればこのような問題は生じない。
【特許文献１】特開２００４−２０８７６５号公報
【発明の開示】
【発明が解決しようとする課題】
【０００４】
しかし、後者のフィルムレス構造の収納箱にあっては、新たな問題が生じる。
すなわち、フィルムレス構造の収納箱にあっては、取出口の幅（取出口の延在方向に直交する寸法）が小さいと、ティシューペーパーを取り出す際に取出口の硬い縁にティシューペーパーが強く擦れることとなり、取出抵抗が大きくなり、ティシューペーパーが破れたりして取出性が悪いだけでなく、たとえ破れなくても擦れによる紙粉の発生につながって不都合を生じる。
一方、ティシューペーパーの取出性を向上させるために取出口の面積を増大させるとすれば、ティシューペーパーの取出性は向上するが、今度はティシューペーパーの保持性が悪くなってしまいティシューペーパーの収納箱内への落ち込みが生じやすくなるととともに、取出口から埃等が入りやすくなる。
【０００５】
本発明は、かかる問題点に鑑みなされたもので、家庭用薄葉紙の取出性および保持性の双方を満足させる家庭用薄葉紙収納箱を提供することを目的としている。
【課題を解決するための手段】
【０００６】
請求項１に記載の家庭用薄葉紙収納箱は、交互に折り畳まれて積層された家庭用薄葉紙が内部に収納され、上面の蓋部が破断用切目線に沿って切り取り可能に構成され、該蓋部を切り取って形成される取出口を通して内部の家庭用薄葉紙を取り出すことができるように構成された略直方体状で上面長方形の家庭用薄葉紙収納箱において、前記取出口は、前記家庭用薄葉紙収納箱の上面中央に位置し、前記取出口の全長は、前記家庭用薄葉紙収納箱の長手方向で大きく、かつ、その短手方向で小さくなるように設定され、前記取出口の縁は、前記取出口の前記長手方向および前記短手方向の中心側に位置してその取出口内方に向けて突出する山形突起からなる角部を有し、前記家庭用薄葉紙収納箱の上面の長手方向中心線を挟んで対向する一対の第１縁部と、前記第１縁部の両端側から前記取出口の前記長手方向および前記短手方向の外側に向かって延在する第２縁部と、前記第２縁部の外端側同士を繋ぐように曲線状の縁によって構成される第３縁部とが連結して、全周に亘って連続するループ状をなし、前記一対の第１縁部が前記長手方向中心線を挟んで対向する隙間間隔であって前記短手方向の間隔が３ｍｍ以上１７ｍｍ以下とされ、前記第１縁部を挟んだ前記第２縁部がその第１縁部側に向かってなす角度が１６５度以上１７５度以下とされていることを特徴とする。ここで、「家庭用薄葉紙収納箱の長手方向中心線」とは家庭用薄葉紙収納箱の長手方向に延びる中心線を意味する。また、「取出口の全長」とは取出口の最大長さをいう。また、「山形突起からなる角部」における「山形突起」とは、突起の先が尖っていることを意味するだけでなく、突起の先が滑らかであることも含む。これにより「角部」も角ばった先頭部であることを意味するだけでなく、滑らかな曲線状を呈する先頭部も含むことを意味する。
【０００７】
請求項２に記載の家庭用薄葉紙収納箱は、請求項１に記載の家庭用薄葉紙収納箱において、前記第１縁部は、複数の山形突起によって構成される波形形状とされていることを特徴とする。
【０００８】
請求項３に記載の家庭用薄葉紙収納箱は、請求項１又は２に記載の家庭用薄葉紙収納箱において、前記第２縁部は、前記取出口内方に向かった凸状或いは凹状の曲線状の縁によって構成されていることを特徴とする。
【０００９】
請求項４に記載の家庭用薄葉紙収納箱は、請求項１〜３の何れか一項に記載の家庭用薄葉紙収納箱において、前記第３縁部には、前記取出口の前記長手方向の両端側から前記取出口の中心側に向かって張り出して対向する両側羽部が設けられていることを特徴とする。
【００１０】
請求項５に記載の家庭用薄葉紙収納箱は、請求項１〜４の何れか一項に記載の家庭用薄葉紙収納箱において、前記取出口の縁に設けられる羽部の起立を容易にするための折目用線が設けられていることを特徴とする。
【発明の効果】
【００１１】
本発明によれば、家庭用薄葉紙収納箱の取出口において、その取出口の中心側に位置する一対の第１縁部の両端側から取出口の長手方向および短手方向の外側に向かって延在する第２縁部を設けることによって、その第１縁部が家庭用薄葉紙収納箱の長手方向中心線を挟んで対向する隙間間隔が取出口の短手方向の幅で狭い領域とすることができ、その第１縁部や第２縁部が家庭用薄葉紙と接触することで、家庭用薄葉紙が取出口から収納箱内に落ち込んでしまうことを防止することができる。したがって、待機する家庭用薄葉紙の保持性が向上する。また、第１縁部の隙間間隔が良好な間隔である３ｍｍ〜１７ｍｍとされ、第１縁部に向かって第２縁部がなす角度が良好な角度である１６５度〜１７５度とされているので、その第１縁部や第２縁部が家庭用薄葉紙と接触することにより、家庭用薄葉紙に好適な取出抵抗が付与されることとなって、家庭用薄葉紙の取出性が向上する。
【発明を実施するための最良の形態】
【００１２】
［第１実施形態］
図１は、フィルムレス構造のティシューペーパー収納箱（以下、収納箱という。）の構造を示す分解斜視図、図２は、この収納箱の使用前の状態を示す平面図、図３は、この収納箱の使用時の状態を示す平面図である。ここで、「フィルムレス」とは取出口に、スリット付きの樹脂フィルムが存在しないことを意味している。
【００１３】
収納箱１は、例えば、長手方向の長さが１６０〜２５０ｍｍ、短手方向の長さが１００〜１２０ｍｍ、高さが５０〜１２０ｍｍの略直方体状に形成された収納箱であり、この収納箱１内にティシューペーパー２…がポップアップ可能に積層されて収納される。
【００１４】
収納箱１の上面１ａには、ティシューペーパー２…を取り出すための取出口１１が形成されている。この取出口１１は、最初の使用時に、収納箱１の上面１ａに設けられたループ状の破断用切目線３に沿って収納箱１の一部である蓋部１２を切り取ることにより形成される。この場合、破断用切目線３は連続してループ状をなしているため、蓋部１２を破断用切目線に沿って切り取ると、取出口１１の縁も連続してループ状をなすことになる。収納箱１はこの状態で使用される。ここで、「連続してループ状をなす」とは、縁の途中に切り込み、裂け目がなく全体が連続していることを意味している。
【００１５】
取出口１１は収納箱１の上面中央に位置している。この取出口１１の寸法は、収納箱１の長手方向で短手方向に比べて大きくなるように設定されている。ここで、取出口１１の長手方向長さは、収納箱１の上面の長手方向長さの６０〜９６％であることが好ましい。下限を６０％としたのは、６０％よりも小さくすると、ティシューペーパーの両端が強く擦れて取出性が悪くなるからである。
【００１６】
この取出口１１は、略Ｖ字形状の縁１１−１と、直線状の縁１１−２と、略ε字形状の縁１１−３と、直線状の縁１１−４と、略Ｖ字形状の縁１１−５と、直線状の縁１１−６と、略ε字形状の縁１１−７と、直線状の縁１１−８と、を連結してなるループ状の縁によって区画される。
このうち、略Ｖ字形状の縁１１−１と１１−５は、それぞれ２つの直線状の縁が交わった山形突起からなる角部の先端を、取出口１１の内方であって収納箱１の上面１ａの長手方向中心線Ｃ１（長手方向に延びる中心線）に向けて突出し、その長手方向中心線Ｃ１を挟んで対向する一対の第１縁部であり、取出口１１の長手方向および短手方向の中心側に位置している。
また、直線状の縁１１−２、１１−４、１１−６、１１−８は、それぞれ第１縁部（１１−１、１１−５）の両端側から取出口１１の長手方向および短手方向の外側に向かって延びる第２縁部であり、第１縁部（１１−１、１１−５）の端部と連なって同一直線をなすように延在している。
また、略ε字形状の縁１１−３、１１−７は、それぞれ第２縁部（１１−２、１１−４、１１−６、１１−８）における取出口１１の中心側から離間した外端側同士を繋ぐように曲線状の縁によって構成される第３縁部であり、取出口１１の長手方向の両側に位置している。
【００１７】
上記取出口１１の形状は、収納箱１の上面１ａの長手方向中心線Ｃ１および短手方向中心線Ｃ２のそれぞれに対して線対称となっている。
そして、この取出口１１は、収納箱１の上面の長手方向および短手方向の中心部に位置する第１取出口部分１１ａと、収納箱１の上面の長手方向の両側に位置する第３取出口部分１１ｃ，１１ｃと、第１取出口部分１１ａと第３取出口部分１１ｃの間に位置する第２取出口部分１１ｂ，１１ｂとに大別される。
【００１８】
このうち、第１取出口部分１１ａは、一対の第１縁部（１１−１、１１−５）に挟まれた領域に対応する部分であって取出口１１の短手方向の幅で最も狭い領域であり、略鼓形形状を呈している。そして、この第１取出口部分１１ａの短手方向中心線Ｃ２に沿った方向の幅は、３ｍｍ以上１７ｍｍ以下とされている。別言すれば、一方の第１縁部１１−１と他方の第１縁部１１−５が長手方向中心線Ｃ１を挟んで対向する隙間間隔であって短手方向の間隔が３ｍｍ以上１７ｍｍ以下とされている。つまり、第１縁部におけるＶ字の先端部が対向する間隔が３ｍｍ以上、第１縁部と第２縁部の境界点が対向する間隔が１７ｍｍ以下となっている。
この一対の第１縁部（１１−１、１１−５）の隙間間隔が３ｍｍ未満であると、収納箱１からティシューペーパー２を取り出す際に取出口１１の縁にティシューペーパー２が強く擦れるために取出抵抗が大きくなるので、ティシューペーパー２が破れたりして取出性が悪くなるなどの不都合が生じることがある。特に、最初の１組のティシューペーパー２を取出口１１から取り出すことが困難になる。一方、一対の第１縁部（１１−１、１１−５）の隙間間隔が１７ｍｍより大きいと、ティシューペーパー２の取出性は向上するが、その縁部によるティシューペーパー２の保持性が悪くなってしまうために、ティシューペーパー２が収納箱１内へ落ち込んでしまいやすくなるなどの不都合が生じることがある。
そして、より好ましい一対の第１縁部（１１−１、１１−５）の隙間間隔は、３ｍｍ以上１５ｍｍ以下であり、さらに好ましくは４ｍｍ以上８ｍｍ以下である。
【００１９】
また、第２取出口部分１１ｂは、第２縁部１１−２と１１−４に挟まれた領域と、第２縁部１１−６と１１−８に挟まれた領域に対応する部分であり、第１取出口部分１１ａより取出口１１の長手方向の外側に位置し、その取出口１１の長手方向の外側に向かって間隔が広がるように略台形形状を呈している。
そして、第１縁部１１−１を挟んで第２縁部１１−２と１１−８の延長線がなす角度θと、第１縁部１１−５を挟んで第２縁部１１−４と１１−６の延長線がなす角度θは、それぞれ１６５度以上１７５度以下とされている。この第１縁部を挟んだ第２縁部がなす角度θが１６５度未満であると、取出口１１の縁とティシューペーパー２との接触が少ないために取出抵抗が小さくなり、その縁部によるティシューペーパー２の保持性が悪くなってしまうので、ティシューペーパー２が収納箱１内へ落ち込んでしまいやすくなるなどの不都合が生じることがある。一方、この第１縁部を挟んだ第２縁部がなす角度θが１７５度より大きいと、取出口１１の縁とティシューペーパー２との接触が増えてティシューペーパー２の保持性は向上するが、収納箱１からティシューペーパー２を取り出す際に取出口１１の縁にティシューペーパー２が強く擦れるために取出抵抗が大きくなるので、ティシューペーパー２が破れたりして取出性が悪くなるなどの不都合が生じることがある。特に、最初の１組のティシューペーパー２を取出口１１から取り出すことが困難になる。
なお、第２縁部は、第１縁部の両端と同一直線をなすように連なっているので、この実施形態１において、第２縁部が第１縁部に向かってなす角度θは、第１縁部のＶ字状の尖端頂角の角度とみなすことができる。
そして、第２縁部が第１縁部に向かってなす角度のより好ましい角度θは、１６８度以上１７３度以下である。
【００２０】
また、第３取出口部分１１ｃは、収納箱１の上面１ａの長手方向で見ると、第２取出口部分１１ｂより外側に存在して、第３縁部（１１−３、１１−７）側であって取出口１１の外端に位置する部分である。
この第３取出口部分１１ｃの縁には、略ε字形状の第３縁部１１−３と１１−７におけるそれぞれの中央側の尖った突部が自由端縁を構成し、取出口１１の中心側に向けて張り出したそれぞれの両側羽部１３ｂが短手方向中心線Ｃ２を挟んで対向するように形成されている。
両側羽部１３ｂは、取出口１１の長手方向の両端側から長手方向中心線Ｃ１に沿った方向に張り出して対向するように設けられている。この両側羽部１３ｂがティシューペーパー２と接触することでティシューペーパー２が収納箱１内へ落ち込んでしまうことを防ぐようになっている。
【００２１】
そして、収納箱１の上面１ａには、第２縁部と第３縁部の境界点（折れ曲り点）を、収納箱１の長手方向に沿って結ぶ仮想線に沿うように直線状の折目用線１４が形成されている。
この仮想線に沿った折目用線１４と第２縁部と第１縁部とにより囲われてなる略二等辺三角形形状を呈する部分が、取出口１１の内方に向けて張り出した羽部１３ａとなっている。
この折目用線１４は、羽部１３ａの付け根側に押圧部材（図示省略）を型押しして形成された直線状のくぼみであり、羽部１３ａの起立を容易にするために設けられている。なお、ここでは、直線状の折目用線１４としているが、収納箱１の内方又は外方に向けて張り出すような円弧状の折目用線としてもよい。また、この折目用線１４は羽部１３の付け根全域に延在するものでなくてもよい。
【００２２】
なお、上記羽部１３ａにおける付け根部から先端部までの突出長さは、対向する羽部１３ａ、１３ａの間にティシューペーパー２…が保持される程度であればよく、５ｍｍ以上あることが望ましい。また、上限は特に限定されず、ティシューペーパー２…の大きさや収納箱１の短手方向の長さおよび取出口１１の大きさにより適宜決めてよい。
【００２３】
蓋部１２は取出口１１と同一の形状を有している。この蓋部１２には、半円状の破断用切目線が形成され、この破断用切目線の内部に指を当てて力を加えると、破断用切目線の内部が収納箱１の内側に折れ曲がり、指を挿入可能な指穴１５が形成されるようになっている。
【００２４】
次に、収納箱１に収納されるティシューペーパー２について説明すれば、ティシューペーパー２は、その折り畳み軸方向の長さが１００〜２４５ｍｍとなっている。
このティシューペーパー２…は、２枚が１組（一単位）とされ、１組１組が継続して箱から取り出せるように交互に折り畳まれており、一方の羽部１３ａに保持されているティシューペーパー１組を外へ引き出したときに、次のティシューペーパー１組が収納箱１の内部から他方の羽部１３ａに保持される位置まで引き出される折り方となっている。つまり、ティシューペーパー２…は、一組毎取り出す際、一対の羽部１３ａのそれぞれに交互に保持されるようになっている。
【００２５】
このような収納箱１であれば、好適な間隔に施された第１取出口部分１１ａや、好適な角度に施された第２取出口部分１１ｂを備える取出口１１における羽部１３ａが、ティシューペーパー２と好適に接触することとなり、ティシューペーパー２の取出性および保持性の双方を満足させることが可能になる。
【００２６】
［第２実施形態］
図４は、フィルムレス構造の収納箱の構造を示す分解斜視図、図５は、この収納箱の使用前の状態を示す平面図、図６は、この収納箱の使用時の状態を示す平面図である。
この第２実施形態の収納箱１は次の点で第１実施形態の収納箱と共通している。
第１に、この第２実施形態の収納箱１は大きさおよび外形が第１実施形態の収納箱と共通している。
第２に、この第２実施形態の収納箱１は、収納箱１の内部に収納されるティシューペーパー２の大きさおよび収納構造が第１実施形態の収納箱と共通している。
第３に、この第２実施形態の収納箱１は、取出口１１が蓋部１２を破断用切目線３に沿って切り取って形成される点、取出口１１が収納箱１の中央に位置している点、取出口１１の寸法が収納箱１の長手方向で大きく、かつ、その短手方向で小さくなるように設定されている点、取出口１１の形状が収納箱１の上面１ａの長手方向中心線Ｃ１および短手方向中心線Ｃ２のそれぞれに対して線対称となっている点、取出口１１の縁が使用状態で全周に亘って連続してループ状をなしている点で第１実施形態の収納箱と共通している。
第４に、この第２実施形態の収納箱１は、収納箱１の短手方向における取出口１１の両側に、蓋部１２を切り取った状態で、収納箱１の長手方向中心線Ｃ１を挟んで対向する一対の羽部１３ａが形成されている点、各羽部１３ａの付け根側に折目用線１４が形成されている点で第１実施形態の収納箱と共通している。
第５に、この第２実施形態の収納箱１は、取出口１１が第１取出口部分１１ａと第２取出口部分１１ｂ，１１ｂと第３取出口部分１１ｃ，１１ｃとで構成されている点、第１取出口部分１１ａが長手方向中心線Ｃ１を挟んで対向する第１縁部に挟まれた領域である点、第２取出口部分１１ｂが長手方向中心線Ｃ１を挟んで対向する第２縁部に挟まれた領域である点、第３取出口部分１１ｃが第２取出口部分１１ｂより外側に存在して取出口１１における長手方向外端に位置する点で第１実施形態の収納箱と共通している。
第６に、この第２実施形態の収納箱１は、蓋部１２に指穴１５が形成可能となっている点で第１実施形態の収納箱と共通している。
なお、この第２実施形態の収納箱１は、適宜に、第１実施形態の収納箱の説明の箇所で示したと同様の変形を加えることが可能である。
【００２７】
次に、この第２の実施形態の収納箱１が第１実施形態の収納箱と異なる点を説明する。
この第２実施形態の収納箱１の取出口１１は、略波形形状の縁１１−１と、緩曲線状の縁１１−２と、略Ｗ字形状の縁１１−３と、緩曲線状の縁１１−４と、略波形形状の縁１１−５と、緩曲線状の縁１１−６と、略Ｗ字形状の縁１１−７と、緩曲線状の縁１１−８と、を連結してなるループ状の縁によって区画される。
このうち、略波形形状の縁１１−１と１１−５は、それぞれ１０個の直線状の縁がジグザグに連なった複数の山形突起からなる鋸歯様の複数（図中４つ）の先端を、収納箱１の上面１ａの長手方向中心線Ｃ１に向けて、その長手方向中心線Ｃ１を挟んで対向する一対の第１縁部であり、取出口１１の長手方向および短手方向の中心側に位置している。
また、緩曲線状の縁１１−２、１１−４、１１−６、１１−８は、それぞれ第１縁部（１１−１、１１−５）の両端側から取出口１１の長手方向および短手方向の外側に向かって延びる第２縁部であり、取出口１１の内方に向かい僅かに凸状に膨らんで張り出すように極小さな曲率を有して、緩やかな曲線を呈している。
また、略Ｗ字形状の縁１１−３、１１−７は、それぞれ第２縁部（１１−２、１１−４、１１−６、１１−８）における取出口１１の中心側から離間した外端側同士を繋ぐように曲線状の縁によって構成される第３縁部であり、取出口１１の長手方向の両側に位置している。
なお、第２縁部（１１−２、１１−４、１１−６、１１−８）と第３縁部（１１−３、１１−７）の境界は滑らかな曲線を呈するように連結している。
【００２８】
そして、一対の第１縁部（１１−１、１１−５）に挟まれた領域である第１取出口部分１１ａは、取出口１１の短手方向の幅で最も狭い領域であり、略両刃鋸形形状を呈している。
この第１取出口部分１１ａの短手方向知中心線Ｃ２に沿った方向の幅は、３ｍｍ以上１７ｍｍ以下とされている。別言すれば、一方の第１縁部１１−１と他方の第１縁部１１−５が長手方向中心線Ｃ１を挟んで対向する隙間間隔であって短手方向の間隔が３ｍｍ以上１７ｍｍ以下とされている。つまり、第１縁部における鋸歯様の尖端が対向する間隔が３ｍｍ以上、その鋸歯様のＶ字底が対向する間隔が１７ｍｍ以下となっている。
【００２９】
また、第２縁部１１−２と１１−４に挟まれた領域と、第２縁部１１−６と１１−８に挟まれた領域である第２取出口部分１１ｂは、第１取出口部分１１ａより取出口１１の長手方向の外側に位置し、その取出口１１の長手方向の外側に向かって間隔が広がるように略台形形状を呈している。
そして、図７に示すように、この第２取出口部分１１ｂに対応する第２縁部が第１縁部に向かってなす角度θであって、第１縁部１１−１と第２縁部１１−２、１１−８の境界点近傍における第２縁部のそれぞれの接線が第１縁部側で交わり成す頂角の角度θと、第１縁部１１−５と第２縁部１１−４、１１−６の境界点近傍における第２縁部のそれぞれの接線が第１縁部側で交わり成す頂角の角度θは、それぞれ１６５度以上１７５度以下とされている。
なお、第２取出口部分１１ｂに対応して仮想頂角をなす第２縁部の接線は、第１縁部と第２縁部の境界点近傍の接線であることに限らず、第２縁部と第３縁部の境界点近傍の接線や、第２縁部の中央近傍の接線であるなど、収納箱１の形状等に応じて特定されている接線であればよい。また、第２縁部（１１−２、１１−４、１１−６、１１−８）は、取出口１１の内方に対して僅かに凹状にへこむように極小さな曲率を有する緩やかな曲線であってもよい。
【００３０】
また、第２取出口部分１１ｂより外側に存在して、第３縁部（１１−３、１１−７）側に位置する第３取出口部分１１ｃは、取出口１１の外端に位置している。
この第３取出口部分１１ｃの縁には、略Ｗ字形状の第３縁部１１−３と１１−７におけるそれぞれの中央側の円弧状の突部が自由端縁を構成し、取出口１１の中心側に向けて張り出したそれぞれの両側羽部１３ｂが短手方向中心線Ｃ２を挟んで対向するように形成されている。
【００３１】
そして、収納箱１の上面１ａには、第２縁部と第３縁部の境界点（折れ曲り点）を収納箱１の長手方向に沿って結ぶ仮想線に沿って形成された折目用線１４が設けられており、この仮想線に沿った折目用線１４と第２縁部と第１縁部とにより囲われてなる略等脚台形形状を呈する部分が、取出口１１の内方に向けて張り出した羽部１３ａとなっている。
【００３２】
このような収納箱１であっても、取出口１１における羽部１３ａがティシューペーパー２と好適に接触することとなり、ティシューペーパー２の取出性および保持性の双方を満足させることが可能になる。
【００３３】
［その他の変形］
以上、本発明の実施形態および変形例を説明したが、本発明は、かかる実施形態や変形例に限定されるものではなく、種々の変形が可能である。
例えば、取出口１１の縁の曲率や、第２実施形態における第１縁部の鋸歯状の尖端突部の数などは、任意に形成するようにしてもよい。
【図面の簡単な説明】
【００３４】
【図１】第１実施形態のティシューペーパー収納箱の分解斜視図である。
【図２】図１のティシューペーパー収納箱の使用前の状態を示す平面図である。
【図３】図１のティシューペーパー収納箱の使用時の状態を示す平面図である。
【図４】第２実施形態のティシューペーパー収納箱の分解斜視図である。
【図５】図４のティシューペーパー収納箱の使用前の状態を示す平面図である。
【図６】図４のティシューペーパー収納箱の使用時の状態を示す平面図である。
【図７】図６のティシューペーパー収納箱の第１縁部近傍を示す拡大図である。
【符号の説明】
【００３５】
１      ティシューペーパー収納箱（家庭用薄葉紙収納箱）
２      ティシューペーパー（家庭用薄葉紙）
３      破断用切目線
１１    取出口
１１−１、１１−５  第１縁部
１１−２、１１−４、１１−６、１１−８  第２縁部
１１−３、１１−７  第３縁部
１２    蓋部
１３ａ  羽部
１３ｂ  両側羽部
１４    折目用線
１５    指穴
Ｃ１    長手方向中心線
Ｃ２    短手方向中心線
【図１】
2008162623.tif 000003
【図２】
2008162623.tif 000004
【図３】
2008162623.tif 000005
【図４】
2008162623.tif 000006
【図５】
2008162623.tif 000007
【図６】
2008162623.tif 000008
【図７】
2008162623.tif 000009